(57)【特許請求の範囲】
【請求項１】
補助信号の記録領域と主信号の記録領域とが連続して配置されて前記主信号の記録領域に、
マルチチャネルのアナログオーディオ信号があるサンプリング周波数及び量子化ビット数で量子化されて記録される楽曲のオーディオデータからなるオーディオエリアと、
前記オーディオエリアに記録されている楽曲のオーディオデータの制御情報が記録されるオーディオマネージャ（ＡＭＧ）、及びオーディオマネージャメニュー（ＡＭＧＭ）からなる制御情報エリアと、
前記オーディオエリア内の楽曲のオーディオデータの頭出しを行うためのプレイポインタテーブルインフォメーション（ＳＡＰＰ  ＴＩ）、及び前記楽曲を構成する楽章毎に頭出しを行うためのアドレス情報と前記楽章毎に再生を行うための前記サンプリング周波数と量子化ビット数と簡易再生として前記マルチチャネルを２チャネルにミクスダウンして再生するためのミクスダウン係数とを含む複数のプレイポインタ（ＳＡＰＰ＃１〜＃ｎ）により構成されるＴＯＣファイルと、
を所定のフォーマットにより記録したオーディオディスク。
【発明の詳細な説明】
【０００１】
【発明の属する技術分野】
本発明は、特にオーディオディスクのデータ構造に関する。
【０００２】
【従来の技術】
近年、高密度光ディスクとしてＤＶＤ（デジタル・バーサタイル・ディスク、デジタル・ビデオ・ディスク）が知られている。また、音楽用の光ディスクとしては、ＣＤ（コンパクトディスク）に代わってＤＶＤビデオディスクと同様に高密度のＤＶＤオーディオディスクが期待されている。
【０００３】
【発明が解決しようとする課題】
ところで、音楽をＤＶＤオーディオディスクに記録して再生する場合に、ユーザにとって曲の頭出しを簡単にすることが望まれる。また、ＤＶＤビデオディスクと互換性があればユーザにとって便利である。
【０００４】
そこで本発明は、楽曲のオーディオデータを含むオーディオファイルを記録してプレーヤが再生する場合に曲の頭出しを簡単にすることができるオーディオディスクを提供することを目的とする。
【０００５】
【課題を解決するための手段】
本発明は上記目的を達成するために、以下の手段より成る。
すなわち、
補助信号の記録領域と主信号の記録領域とが連続して配置されて前記主信号の記録領域に、
マルチチャネルのアナログオーディオ信号があるサンプリング周波数及び量子化ビット数で量子化されて記録される楽曲のオーディオデータからなるオーディオエリアと、
前記オーディオエリアに記録されている楽曲のオーディオデータの制御情報が記録されるオーディオマネージャ（ＡＭＧ）、及びオーディオマネージャメニュー（ＡＭＧＭ）からなる制御情報エリアと、
前記オーディオエリア内の楽曲のオーディオデータの頭出しを行うためのプレイポインタテーブルインフォメーション（ＳＡＰＰ  ＴＩ）、及び前記楽曲を構成する楽章毎に頭出しを行うためのアドレス情報と前記楽章毎に再生を行うための前記サンプリング周波数と量子化ビット数と簡易再生として前記マルチチャネルを２チャネルにミクスダウンして再生するためのミクスダウン係数とを含む複数のプレイポインタ（ＳＡＰＰ＃１〜＃ｎ）により構成されるＴＯＣファイルと、
を所定のフォーマットにより記録したオーディオディスク。
【０００６】
【発明の実施の形態】
以下、図面を参照して本発明の実施の形態を説明する。図１は本発明の参考例に係るオーディオディスクの一例としてＤＶＤ−Ｖａｎディスクの基本フォーマットを示す説明図、図２はＤＶＤビデオディスクとＤＶＤオーディオディスクの各ファイル構造を示す説明図、図３は図２のオーディオパック及びビデオパックのフォーマットを示す説明図、図４は図１のＤＶＤ−Ｖａｎディスクのファイル構造を示す説明図、図５は図１のＴＯＣファイルを詳細に示す説明図、図６は図５のシンプルオーディオプレイポインタを詳細に示す説明図、図７は図６のトラック属性を詳細に示す説明図である。なお、本願でいうファイルとは、情報の１つのかたまりであって、所定のフォーマットとファイル名を有し、記録媒体から読み出したり、他の記録媒体に書き込む動作をコンピュータが制御する際に、ファイル名により制御可能なものをいう。
【０００７】
図１に示すＶａｎ（ビデオ−オーディオナビゲーション）ディスクのファイル構造は、概略的にＤＶＤビデオプレーヤが再生するためのビデオファイルＦ１と、ＤＶＤオーディオプレーヤが再生するためのオーディオファイルＦ２と、ＤＶＤオーディオプレーヤが曲の頭出しを行うために図５〜図７に詳しく示すようなＴＯＣ（テーブルオブコンテンツ）ファイルＦ３と、コンピュータが再生するためのＣＴＳ（コンピュータプログラムタイトルセット）ファイルＦ４により構成されている。
【０００８】
ビデオファイルＦ１はＶＴＳ（ビデオタイトルセット）として、制御情報であるＶＭＧ（ビデオマネージャ）及びＶＭＧＭ（ＶＭＧメニュー）と、ｎ個のＶＴＳ＜１＞〜ＶＴＳ＜ｎ＞により構成され、ＶＭＧＭとＶＴＳ＜１＞〜ＶＴＳ＜ｎ＞の各々はビデオデータとオーディオデータを含む。これに対し、オーディオファイルＦ２はＡＴＳ（オーディオタイトルセット）として、制御情報であるＡＭＧ（オーディオマネージャ）及びＡＭＧＭ（ＡＭＧメニュー）と、ｎ個のＡＴＳ＜１＞〜ＡＴＳ＜ｎ＞により構成されている。そして、ＡＭＧＭはＶＭＧＭとは異なるビデオデータとオーディオデータを含み、また、ＡＴＳ＜１＞〜ＡＴＳ＜ｎ＞はそれぞれＶＴＳ＜１＞〜ＶＴＳ＜ｎ＞と同じコンテンツのオーディオデータを含み、ビデオデータは含まない。
【０００９】
図２（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応してオーディオマネージャ（ＡＭＧ）と、それに続く複数のオーディオタイトルセット（ＡＴＳ）の各エリアにより構成されている。
【００１０】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＴＳの各々はこれに対応して先頭のＡＴＳインフォメーション（ＡＴＳＩ）と、それに続く１以上のオーディオコンテンツブロックセット（ＡＣＢＳ）と最後のＡＴＳＩにより構成されている。ＡＴＳＩには、ＡＣＢＳ内の各曲の演奏時間が実時間でセットされる。
【００１１】
ＶＣＢＳの各々は複数のＶＣＢにより構成され、他方、ＡＣＢＳ（タイトルセット）の各々は複数のＡＣＢにより構成されている。ＶＣＢの各々はビデオの１タイトル（Ｔｉｔｌｅ）分であり、ＡＣＢの各々はこれに対応してオーディオの１タイトル（Ｔｉｔｌｅ）分である。ＶＣＢの各々（１タイトル）は複数のチャプタにより構成され、他方、ＡＣＢの各々（１タイトル）はこれに対応して複数のトラックにより構成されている。チャプタ（Ｃｈａｐｔｅｒ）とトラック（Ｔｒａｃｋ）の各々は共にパートオブタイトル（ＰＴＴ）を含む。
【００１２】
チャプタの各々は複数のセル（ＣＥＬＬ）により構成され、他方、トラックの各々はこれに対応して複数のインデックス（Ｉｎｄｅｘ）により構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１３】
ＶＣＢユニットの各々は、先頭のナビゲーションコントロールパック（以下、ＣＯＮＴパック）と、それに続く複数のビデオ（Ｖ）パック、オーディオ（Ａ）パック及びサブピクチャ（ＳＰ）パックにより構成され、他方、ＡＣＢユニットの各々は、これに対応して先頭のオーディオコントロールパック（以下、Ａ−ＣＯＮＴパック）と、それに続く複数のＡパックとＶパックにより構成されている。
【００１４】
ＣＯＮＴパックには後続のＶパックを制御する情報が配置され、Ａ−ＣＯＮＴパックには後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００１５】
そして、ＶＣＢユニットは０．４〜１．０秒分の任意の数のパックにより構成され、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００１６】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Group of Audio Frame単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００１７】
隣接するＡパックは、オーディオ信号が互いに関連するように配置され、例えばステレオの場合にはＬチャネルパックとＲチャネルパックが隣接して配置され、また、５チャネルのマルチチャネルの場合にも同様に隣接して配置される。Ｖパックはオーディオ信号の再生時に映像を表示する場合にそのＡパックに隣接して配置される。ＡパックとＶパックは、図３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトのMux rate（Multiplex rate：プログラム・ストリームの多重化速度）情報と１バイトのスタッフィングの合計１４バイトが付加されて構成されている（１パック＝合計２０４８バイト）。この場合、タイムスタンプであるＳＣＲ情報を、ＡＣＢユニット内の先頭パックでは「１」として同一タイトル内で連続とすることにより同一タイトル内のＡパックの時間を管理することができる。
【００１８】
これに対し、本発明の図１に示すＶａｎディスクのフォーマットは、図４に示すように大別して先頭のＶＭＧ及びＡＭＧを含むエリアと、それに続いて各々がビデオタイトルセット（ＶＴＳ）及びオーディオタイトルセット（ＡＴＳ）を含む複数のエリアにより構成されている。ＶＴＳ及びＡＴＳの各エリアは、先頭のＶＴＳＩ及びＡＴＳＩのエリアと、それに続く１以上のＶＣＢＳ及びＡＣＢＳのエリアと、最後のＶＴＳＩ及びＡＴＳＩのエリアにより構成されている。ＶＣＢＳ及びＡＣＢＳの各エリアは、各々がＶＣＢ及びＡＣＢを含む複数のエリアにより構成され、ＶＣＢ及びＡＣＢの各エリアはＤＶＤビデオのフォーマットと同一である。
【００１９】
次に、図１に示すＴＯＣファイルＦ３について図５〜図７を参照して詳しく説明する。このＴＯＣ情報はＳＡＰＰ（シンプルオーディオプレイポインタ）と呼ばれ、図５に示すように
・１６バイトのシンプルオーディオプレイポインタテーブルインフォメーション（ＳＡＰＰＴＩ）と、
・各々が４８バイトのｎ個のシンプルオーディオプレイポインタ＃１〜＃１６（ＳＡＰＰ＃１〜＃ｎ）と
により構成されている。ＳＡＰＰＴＩは１２バイトのＳＡＰＰＴＩアイデンティファイヤと、２バイトのＳＡＰＰ数と２バイトのＳＡＰＰＴＩエンドアドレスにより構成されている。
【００２０】
ＳＡＰＰ＃１〜＃ｎの各々は４８バイトで構成され、その内訳は図６に示すように、
・１バイトのＳＡＰＰのタイトル番号と、
・１バイトのＳＡＰＰのトラック番号と、
・４バイトの、ＳＡＰＰで指されたトラックの最初のセルのスタートプレゼンテーション時間と、
・４バイトの、ＳＡＰＰで指されたトラックの再生時間と、
・４バイトの、ＳＡＰＰで指されたトラックのポーズ時間と、
・図７に詳しく示すように４バイトの、ＳＡＰＰで指されたトラックの属性（ＳＡＰＰ−ＡＴＲ）と、
・１８バイトのリザーブ領域と、
・４バイトの、ＳＡＰＰで指されたトラックのスタートアドレスと、
・４バイトの、ＳＡＰＰで指されたトラックの最初のセルのスタートアドレスと、
・４バイトの、ＳＡＰＰで指されたトラックのエンドアドレスと
により構成されている。
【００２１】
また、上記の４バイト（３２ビットｂ３１〜ｂ０）のトラック属性（ＳＡＰＰ−ＡＴＲ）として、図７に示すように量子化ビット数Ｑを４ビット（ｂ２３〜ｂ２０）で記録し、サンプリング周波数ｆｓを４ビット（ｂ１５〜ｂ１２）で記録し、デコーディングオーディオストリーム番号を３ビット（ｂ７〜ｂ５）で記録する。そして、このＳＡＰＰ情報を更に、トラック（楽章）をｎ個に分割してトラックに属するアルバム番号と共に、また、プレーヤによる読み取りエラーを防止するために８回記録する。
【００２２】
このようなＶａｎディスクのフォーマットによれば、ＤＶＤビデオプレーヤは図１に示すビデオファイルＦ１を再生することができ、また、ＤＶＤオーディオプレーヤは図１に示すオーディオファイルＦ２、すなわちＤＶＤビデオプレーヤが再生する同一のコンテンツのオーディオデータを再生することができるとともに再生の際にＴＯＣファイルＦ３に基づいて曲の頭出しなどを行うことができる。
【００２３】
図８は第２の参考例としてＤＶＤ−Ａｖｄ（オーディオ−ＡＶデータ）ディスクの基本フォーマットを示している。このフォーマットは、第１の実施形態と同様にＤＶＤビデオプレーヤが再生するためのビデオファイルＦ１と、ＤＶＤオーディオプレーヤが再生するためのオーディオファイルＦ２と、ＤＶＤオーディオプレーヤが曲の頭出しを行うために図５〜図７に詳しく示すようなＴＯＣ（テーブルオブコンテンツ）ファイルＦ３と、コンピュータが再生するためのＣＴＳ（コンピュータプログラムタイトルセット）ファイルＦ４により構成されている。
【００２４】
ビデオファイルＦ１はＶＴＳとして、ＶＭＧ（ビデオマネージャ）と、ＶＭＧＭ（ＶＭＧメニュー）とｎ個のＶＴＳ＜１＞〜ＶＴＳ＜ｎ＞により構成され、ＶＭＧＭとＶＴＳ＜１＞〜ＶＴＳ＜ｎ＞の各々はビデオデータとオーディオデータを含む。これに対し、オーディオファイルＦ２はＡＴＳとして、ＡＭＧ（オーディオマネージャ）と、ＡＭＧＭ（ＡＭＧメニュー）とｎ個のＡＴＳ＜１＞〜ＡＴＳ＜ｎ＞により構成されている。そして、ＡＭＧＭはＶＭＧＭとは異なるビデオデータとオーディオデータを含み、また、ＡＴＳ＜１＞〜ＡＴＳ＜ｎ＞はそれぞれＶＴＳ＜１＞〜ＶＴＳ＜ｎ＞とは異なるコンテンツのオーディオデータを含み、ビデオデータは含まない。すなわち、ビデオファイルＦ１は図２（ａ）に示すＤＶＤビデオと同一のフォーマットで構成され、オーディオファイルＦ２は図２（ｂ）に示すＤＶＤオーディオと同一のフォーマットで構成されている。
【００２５】
したがって、このようなＡｖｄディスクのフォーマットによれば、ＤＶＤビデオプレーヤは図２（ａ）に示すビデオファイルＦ１を再生することができ、また、ＤＶＤオーディオプレーヤは図２（ｂ）に示すオーディオファイルＦ２、すなわち図２（ａ）に示すビデオファイルＦ１とは異なるコンテンツのオーディオデータを再生することができるとともに再生の際にＴＯＣファイルＦ３に基づいて曲の頭出しなどを行うことができる。
【００２６】
図９は第２の参考例の変形例の基本フォーマットを示し、このフォーマットは、第２の実施形態と同様にＤＶＤビデオプレーヤが再生するためのビデオファイルＦ１と、ＤＶＤオーディオプレーヤが再生するためのオーディオファイルＦ２と、ＤＶＤオーディオプレーヤがオーディオファイルの曲の頭出しを行うために図５〜図７に詳しく示すようなオーディオ用ＴＯＣファイルＦ３−２と、ＤＶＤビデオプレーヤがビデオファイルのサーチを行うためのビデオ用ＴＯＣファイルＦ３−１により構成されている。
【００２７】
したがって、このようなフォーマットによれば、ＤＶＤビデオプレーヤは図２（ａ）に示すビデオファイルＦ１を再生することができるとともに再生の際にビデオ用ＴＯＣファイルＦ３−１に基づいてサーチすることができる。また、ＤＶＤオーディオプレーヤは図２（ｂ）に示すオーディオファイルＦ２、すなわち図２（ａ）に示すビデオファイルＦ１とは異なるコンテンツのオーディオデータを再生することができるとともに再生の際にオーディオ用ＴＯＣファイルＦ３−２に基づいて曲の頭出しなどを行うことができる。
【００２８】
図１０は本発明の実施の形態としてＤＶＤオーディオディスクの基本フォーマットを示している。このフォーマットは、ＤＶＤオーディオプレーヤが再生するためのオーディオファイルＦ２と、ＤＶＤオーディオプレーヤが曲の頭出しを行うために図５〜図７に詳しく示すようなＴＯＣファイルＦ３と、コンピュータが再生するためのＣＴＳ（コンピュータプログラムタイトルセット）ファイルＦ４により構成されている。
【００２９】
すなわち、このディスクは図２（ａ）に示すビデオファイルを含まず、図２（ｂ）に示すオーディオファイルを含むように構成されている。したがって、このようなフォーマットによれば、ＤＶＤビデオプレーヤは再生することはできないが、ＤＶＤオーディオプレーヤは図２（ｂ）に示すオーディオファイルＦ２を再生することができるとともに再生の際にＴＯＣファイルＦ３に基づいて曲の頭出しなどを行うことができる。
【００３０】
図１１は他の参考例としてＭＩＤＩデータ付きＤＶＤオーディオディスクの基本フォーマットを示している。このフォーマットは、ＤＶＤオーディオプレーヤが再生するためのオーディオファイルＦ２と、ＭＩＤＩ（Musical Intrument Digital Interface）シーケンサ付きのパーソナルコンピュータが再生するためのＭＩＤＩファイルＦ５とＴＯＣファイルＦ３により構成され、ＭＩＤＩファイルはＭＩＤＩタイトルセット（ＭＴＳ）として、ＭＩＤＩマネージャ（ＭＭＧ）と、ＭＭＧメニュー（ＭＭＧＭ）と、複数のＭＴＳ＜１＞〜ＭＴＳ＜ｎ＞により構成されている。そして、ＴＯＣファイルＦ３はＴＯＣマネージャ（ＴＯＣＭＧ）と、オーディオファイルＦ２用のＴＯＣ＜１＞とＭＩＤＩファイルＦ５用のＴＯＣ＜２＞により構成されている。
【００３１】
したがって、このようなフォーマットによれば、ＤＶＤビデオプレーヤは再生することはできないが、ＤＶＤオーディオプレーヤは図２（ｂ）に示すオーディオファイルＦ２を再生することができるとともに再生の際にＴＯＣファイルＦ３のＴＯＣ＜１＞に基づいて曲の頭出しなどを行うことができ、また、ＭＩＤＩシーケンサ付きのパーソナルコンピュータがＭＩＤＩファイルＦ５を再生することができるとともに再生の際にＴＯＣファイルＦ３のＴＯＣ＜２＞に基づいて曲の頭出しなどを行うことができる。また、このようなフォーマットによれば、ＭＩＤＩファイルＦ５としてオーディオファイルＦ２と全く異なるコンテンツ（例えばＢＧＭ）を記録することができる。また、例えばオリジナルの歌（及び楽曲）をオーディオファイルのＡＴＳ＜１＞〜ＡＴＳ＜ｎ＞に記録するとともに、その歌のカラオケ演奏データをＭＩＤＩファイルのＭＴＳ＜１＞〜ＭＴＳ＜ｎ＞に記録すれば、ユーザにとってより娯楽性のあるディスクを実現することができる。
【００３２】
図１２は更に他の参考例としてＤＶＤオーディオディスクの変形例の基本フォーマットを示している。このフォーマットは、ＤＶＤオーディオプレーヤが再生するための第１及び第２のオーディオファイルＦ２−１、Ｆ２−２とＴＯＣファイルＦ３により構成され、ＴＯＣファイルＦ３はＴＯＣマネージャ（ＴＯＣＭＧ）と、第１のオーディオファイルＦ２−１用のＴＯＣ＜１＞と第２のオーディオファイルＦ２−２用のＴＯＣ＜２＞により構成されている。
【００３３】
このようなフォーマットによれば、ＤＶＤビデオプレーヤは再生することはできないが、ＤＶＤオーディオプレーヤは第１のオーディオファイルＦ２−１をＴＯＣファイルＦ３の第１のＴＯＣ＜１＞に基づいて曲の頭出しなどを行うことができ、また、第２のオーディオファイルＦ２−２をＴＯＣファイルＦ３の第２のＴＯＣ＜２＞に基づいて曲の頭出しなどを行うことができる。また、このようなフォーマットによれば、第１及び第２のオーディオファイルＦ２−１、Ｆ２−２として全く異なるコンテンツを記録することができるが、例えば同じ演奏者が演奏スタイルを変えて録音したり、異なる演奏者が同じ楽曲を演奏した音楽ソースをそれぞれ第１のオーディオファイルＦ２−１のＡＴＳ＜１＞〜ＡＴＳ＜ｎ＞と第２のオーディオファイルＦ２−２のＡＴＳ＜１＞〜ＡＴＳ＜ｎ＞に記録すれば、ユーザにとってより娯楽性のあるディスクを実現することができる。
なお、第２の実施形態のＤＶＤ−Ａｖｄディスクあるいは第３の実施形態のＤＶＤ−Ａディスクの場合のように、ＴＯＣファイルは、オーディオファイルのオーディオ情報を頭出し再生するために利用できるようにされ、この場合、簡易再生としてマルチチャネル（６チャネル）を２チャネルにミクスダウンして再生可能とするためのミクスダウン係数を即座に取り出すために図６のＳＡＰＰのリザーブ領域（１８バイト）に収納するようにすることができる。
【００３４】
【発明の効果】
以上説明したように本発明によれば、楽曲のオーディオデータを含むオーディオファイルとは別に、オーディオファイル内の楽曲のオーディオデータの頭出しを行うためのＴＯＣ情報を含むＴＯＣファイルを設けたので、曲の頭出しを簡単にすることができる。
【図面の簡単な説明】
【図１】本発明の参考例に係るオーディオディスクの一例としてＤＶＤ−Ｖａｎディスクの基本フォーマットを示す説明図である。
【図２】ＤＶＤビデオディスクとＤＶＤオーディオディスクの各ファイル構造を示す説明図である。
【図３】図２のオーディオパック及びビデオパックのフォーマットを示す説明図である。
【図４】図１のＤＶＤ−Ｖａｎディスクのファイル構造を示す説明図である。
【図５】図１のＴＯＣファイルを詳細に示す説明図である。
【図６】図５のシンプルオーディオプレイポインタを詳細に示す説明図である。
【図７】図６のトラック属性を詳細に示す説明図である。
【図８】第２の参考例としてＤＶＤ−Ａｖｄディスクの基本フォーマットを示す説明図である。
【図９】第２の参考例の変形例の基本フォーマットを示す説明図である。
【図１０】本発明の実施の形態としてＤＶＤオーディオディスクの基本フォーマットを示す説明図である。
【図１１】他の参考例としてＭＩＤＩデータ付きＤＶＤオーディオディスクの基本フォーマットを示す説明図である。
【図１２】他の参考例としてＤＶＤオーディオディスクの変形例の基本フォーマットを示す説明図である。
【符号の説明】
Ｆ１  ビデオファイル
Ｆ２  オーディオファイル
Ｆ３  ＴＯＣファイル
Ｆ５  ＭＩＤＩファイル
【図１】
0003956852.tif 000002
【図２】
0003956852.tif 000003
【図３】
0003956852.tif 000004
【図４】
0003956852.tif 000005
【図５】
0003956852.tif 000006
【図６】
0003956852.tif 000007
【図７】
0003956852.tif 000008
【図８】
0003956852.tif 000009
【図９】
0003956852.tif 000010
【図１０】
0003956852.tif 000011
【図１１】
0003956852.tif 000012
【図１２】
0003956852.tif 000013